(57)【要約】【課題】  一般的なエステティックサロンにおけるサービス提供時において全裸になる必要のない専用の衣類を提供する。【解決手段】  前面部１２および背面部１１によって筒状の本体部１を構成するとともに、上記本体部の上端の前面部と背面部との間に肩ひも部２，３を架設する。上記本体部の筒状の母線に沿って背面部ほぼ中央を切断し、この切断により構成される両切断部端縁４１，４２に噛合エレメント４５，４６を設け、この噛合エレメントの噛合およびその解除を可能にする２個のスライダ４７，４８を装着する。このスライダは、それぞれの噛合案内柱４０の側を相互に外向きにしてなる。【選択図】  図１
2007162191.tif 000002
【特許請求の範囲】
【請求項１】
前面部および背面部によって筒状の本体部を構成するとともに、上記本体部の上端の前面部と背面部との間に肩ひも部を架設し、上記本体部の筒状の母線に沿って背面部ほぼ中央を切断し、この切断により構成される両切断部端縁に一対のファスナを設けたことを特徴とするエステティックサロン用衣類。
【請求項２】
前面部および背面部によって筒状の本体部を構成するとともに、上記本体部の上端の前面部と背面部との間に肩ひも部を架設し、上記本体部の筒状の母線に沿って背面部ほぼ中央を切断し、この切断により構成される両切断部端縁に噛合エレメントを設け、この噛合エレメントの噛合およびその解除を可能にする２個のスライダを、それぞれの噛合案内柱の側を相互に外向きにして装着してなることを特徴とするエステティックサロン用衣類。
【請求項３】
前面部および背面部によって筒状の本体部を構成するとともに、上記本体部の上端の前面部と背面部との間に肩ひも部を架設し、上記本体部の筒状の母線に沿って背面部ほぼ中央の上端から適宜位置までの範囲に第一の切り込みを設けるとともに、これと平行に下端から適宜位置までの範囲に第二の切り込みを設け、上記各切り込みによって構成された切り込み端縁のそれぞれに噛合エレメントを設け、第一の切り込みに設けた一対の噛合エレメントの噛合およびその解除を可能にする第一のスライダと、第二の切り込みに設けた一対の噛合エレメントの噛合およびその解除を可能にする第二のスライダとを、それぞれの噛合案内柱を切り込み先端に向けて装着したことを特徴とするエステティックサロン用衣類。
【請求項４】
前面部および背面部によって筒状の本体部を構成するとともに、上記本体部の上端の前面部と背面部との間に肩ひも部を架設し、上記本体部の筒状の母線に沿って背面部ほぼ中央の上端から適宜位置までの範囲に第一の切り込みを設けるとともに、これと平行に下端から適宜位置までの範囲に第二の切り込みを設け、上記各切り込みによって構成された切り込み端縁のそれぞれに面ファスナを設けたことを特徴とするエステティックサロン用衣類。
【請求項５】
請求項１ないし４のいずれかに記載のエステティックサロン用衣類であって、前記本体部の母線に沿って前記前面部ほぼ中央を切断するとともに、この切断によって構成された切断部端縁付近にスライドファスナ、面ファスナまたはボタンを設け、該前面部の全面を開閉可能に設けたことを特徴とするエステティックサロン用衣類。
【請求項６】
請求項１ないし５のいずれかに記載のエステティックサロン用衣類であって、前記肩ひも部が、前記前面部との間で面ファスナまたはボタンによって着脱自在に設けてなることを特徴とするエステティックサロン用衣類。
【請求項７】
請求項１ないし５のいずれかに記載のエステティックサロン用衣類であって、前記肩ひも部が、二分割された肩ひも構成部によって構成され、肩ひも構成部は、前記前面部および背面部のそれぞれに一端が縫着されるとともに、それぞれの他端に一対の面ファスナまたは他端の片方にボタンと他方に複数のボタンホールを設けてなることを特徴とするエステティックサロン用衣類。
【発明の詳細な説明】
【技術分野】
【０００１】
本発明は、エステティックサロンにおいて着用する衣類に関し、特に、エステティックサービスの提供を受ける際に着用を可能にし、また、サービスの提供を受けるまでの待ち時間中においても着用を可能にする衣類に関するものである。
【背景技術】
【０００２】
一般的に、エステティックサロンにおけるエステティックサービスは、多岐に及ぶものであるが、そのなかでも肌の表面に対する刺激によりマッサージ効果を与えるものがある。そして、この種のエステティックサービスには、顔面に対するもの（いわゆるフェイシャルエステ）に限らず、背中から臀部や脚部に至る範囲または胸部から腹部に至る範囲等に対するもの（いわゆるボディトリートメント）があり、フェイシャルエステおよびボディトリートメントのいずれにおいても、ローションなどの美容液を肌表面に塗布したうえで、エステシャンが表面をマッサージすることによって、当該美容液の効果およびマッサージ効果による美肌効果が期待されるものである。そこで、ボディトリートメントのように顔面を除く身体に対するエステティックサービスを受ける場合、当然に当該部位を露出することが必要とされていた。従って、当該サービスの提供を受けるときには、それまで着用していた衣服を脱いで全裸となり、下腹部等をタオルによって覆うことが一般的であった。そして、当該サービスの提供を受ける際の脱衣を容易にすべく、エステティックサービス提供者が用意するバスローブまたはこれに類似する衣類を着用していた。
【非特許文献１】ｈｔｔｐ：／／ｗｗｗ．ｓｅｎａｎｇ．ｊｐ／ｄａｉｋａｎｙａｍａ／ｉｎｄｅｘ．ｈｔｍｌ
【発明の開示】
【発明が解決しようとする課題】
【０００３】
しかしながら、上記のように、バスローブ等を着用する場合、サービス提供までの待ち時間中は違和感を与えることもなく、シャワーを浴びる際にも便利であるが、エステティックサービスの提供を受ける直前直後には、バスローブ等を脱がなければならず、サービス提供を受ける者およびエステシャンが同性であるとしても、サービスの提供を受ける側の羞恥心が皆無というわけではなかった。また、他の客と同時にまたは同じ部屋でサービス提供を受ける場合には、余計に羞恥心を感じざるを得なかった。そのため、最近では、単独でサービス提供を受けることができるように、プライベートサロンなるものが出現することとなった（非特許文献１参照）。しかし、この種のプライベートサロンは、エステティックサービスの提供の料金が高価となり、サービス提供を受ける者が安易に利用できるものではなかった。
【０００４】
本発明は、上記諸点にかんがみてなされたものであって、その目的とするところは、一般的なエステティックサロンにおけるサービス提供時において全裸になる必要のない専用の衣類を提供することである。
【課題を解決するための手段】
【０００５】
そこで、本発明は、前面部および背面部によって筒状の本体部を構成するとともに、上記本体部の上端の前面部と背面部との間に肩ひも部を架設し、上記本体部の筒状の母線に沿って背面部ほぼ中央を切断し、この切断により構成される両切断部端縁に一対のファスナを設けたことを特徴とするエステティックサロン用衣類を要旨とする。
【０００６】
上記構成によれば、ファスナの開閉により、背面部を開放または閉塞することができることとなり、背中から臀部付近の開閉がファスナ操作のみで可能となる。そして、上記ファスナとして使用するものには、スライドファスナのほかに面ファスナがあり、スライドファスナを使用する場合には、閉塞状態を安定させることができ、他方、面ファスナを使用する場合には、スライダが不要となるため任意の位置から開放することが可能となる。
【０００７】
また、本発明は、前面部および背面部によって筒状の本体部を構成するとともに、上記本体部の上端の前面部と背面部との間に肩ひも部を架設し、上記本体部の筒状の母線に沿って背面部ほぼ中央を切断し、この切断により構成される両切断部端縁に噛合エレメントを設け、この噛合エレメントの噛合およびその解除を可能にする２個のスライダを、それぞれの噛合案内柱の側を相互に外向きにして装着してなることを特徴とするエステティックサロン用衣類を要旨とする。
【０００８】
上記構成により、一対の噛合エレメントに２個のスライダを備えた一本のスライドファスナを背面部に構成することができる。そして、上記２個のスライダは、それぞれの噛合案内柱を相互に外向きとしていることから、両スライダが接近するとき、背面部の上端およぶ下端が開放され、逆に両スライダが離れるとき、閉塞されることとなる。従って、両スライダが、噛合エレメントの両端すなわち本体部の上下端に位置するときは、当該噛合エレメントが噛合され、背面部は開放されることなく連続することとなり、いずれか一方のスライダを他方のスライダに向かって移動させるときは、当該スライダが移動する範囲を開放させることができる。そして、このスライダの移動による開放は、噛合エレメントの先端（本体部の上端または下端）からスライダまでを切り込んだ状態で開放されることとなり、着用した状態において開放するときには、肩から下方を開放させ、または、臀部から上方を開放させることが可能となる。
【０００９】
また、本発明は、前面部および背面部によって筒状の本体部を構成するとともに、上記本体部の上端の前面部と背面部との間に肩ひも部を架設し、上記本体部の筒状の母線に沿って背面部ほぼ中央の上端から適宜位置までの範囲に第一の切り込みを設けるとともに、これと平行に下端から適宜位置までの範囲に第二の切り込みを設け、上記各切り込みによって構成された切り込み端縁のそれぞれに噛合エレメントを設け、第一の切り込みに設けた一対の噛合エレメントの噛合およびその解除を可能にする第一のスライダと、第二の切り込みに設けた一対の噛合エレメントの噛合およびその解除を可能にする第二のスライダとを、それぞれの噛合案内柱を切り込み先端に向けて装着したことを特徴とするエステティックサロン用衣類をも要旨とする。
【００１０】
上記構成によれば、第一のスライダを背面部の上端に位置させ、第二のスライダを背面部の下端に位置させるとき、第一および第二の切り込みは双方ともに閉塞され、背面部は開放することなく連続した状態となり、いずれか一方のスライダを移動させることにより、背面部の上端から適宜範囲または下端から適宜範囲を開放することが可能となる。
【００１１】
さらに、本発明は、前面部および背面部によって筒状の本体部を構成するとともに、上記本体部の上端の前面部と背面部との間に肩ひも部を架設し、上記本体部の筒状の母線に沿って背面部ほぼ中央の上端から適宜位置までの範囲に第一の切り込みを設けるとともに、これと平行に下端から適宜位置までの範囲に第二の切り込みを設け、上記各切り込みによって構成された切り込み端縁のそれぞれに面ファスナを設けたことを特徴とするエステティックサロン用衣類をも要旨としている。
【００１２】
上記構成によれば、前記スライダの移動に代えて面ファスナの着脱によって第一または第二の切り込みの開閉が可能となる。この種の面ファスナを使用することにより、第一または第二の切り込みが設けられている範囲のうち、任意の位置を部分的に開放させることもでき、また、当該切り込み全体を開放する場合であっても、貼着する面ファスナを当該切り込みの任意の位置から徐々に剥離することにより、面ファスナ全体の接着状態を解除させることができる。そして、逆に切り込みを閉塞する場合も任意の位置から貼着させることができる。
【００１３】
また、本発明は、請求項１ないし４のいずれかに記載のエステティックサロン用衣類であって、前記本体部の母線に沿って前記前面部ほぼ中央を切断するとともに、この切断によって構成された切断部端縁付近にスライドファスナ、面ファスナまたはボタンを設け、該前面部の全面を開閉可能に設けたことを特徴とするエステティックサロン用衣類を要旨とする。
【００１４】
上記構成によれば、当該衣料を着たり脱いだりする際に、背面部のファスナ等を使用することを要せず、通常の衣服と同様に、前面部を開放した状態において着たり脱いだりすることができる。また、胸部から腹部に至る範囲に対するボディトリートメントサービスの提供を受ける際には、衣服を脱ぐことなく当該トリートメントに必要な範囲の開放が可能となる。
【００１５】
さらに、本発明は、請求項１ないし５のいずれかに記載のエステティックサロン用衣類であって、前記肩ひも部が、前記前面部との間で面ファスナまたはボタンによって着脱自在に設けてなることを特徴とするエステティックサロン用衣類を要旨としている。
【００１６】
上記構成により、肩ひも部を前面部から容易に離脱させることが可能となり、肩周辺を含む広い範囲に対してボディトリートメントサービスの提供を受ける際には、背面部の開放とともに、または、前面部の開放とともに、肩周辺に至る範囲を露出させることができる。そして、肩ひも部を再び構成させるためには、面ファスナ等により肩ひも部を連続させればよいのである。
【００１７】
また、本発明は、請求項１ないし５のいずれかに記載のエステティックサロン用衣類であって、前記肩ひも部が、二分割された肩ひも構成部によって構成され、肩ひも構成部は、前記前面部および背面部のそれぞれに一端が縫着されるとともに、それぞれの他端に一対の面ファスナまたは他端の片方にボタンと他方に複数のボタンホールを設けてなることを特徴とするエステティックサロン用衣類を要旨としている。
【００１８】
上記構成により、肩ひも部の長短の調整を可能にしつつ、肩ひも部の連続を解除する際においては、当該肩ひも構成部が面ファスナ等によって装着されている部分を解除することにより行うことができる。また、再び連続状態の肩ひも部を形成させる際においても、面ファスナ等の貼着によって行うことができることとなる。
【発明の効果】
【００１９】
本発明によれば、エステティックサロンにおいて、エステティックサービスの提供を受ける際、特に、ボディトリートメントサービスの提供を受ける際においても、衣服を脱ぐ必要がないのである。すなわち、全裸になることなくサービス提供の対象となる部分の素肌を露出させることができるのである。従って、当該サービスの提供を受ける者が羞恥心を感じることをなくすことができる。
【００２０】
そして、一般的に、ボディトリートメントサービスは、施術用ベッドに俯せた状態または仰向けの状態で横になり、正面側（胸部または腹部）または背面側（背中、臀部または大腿部）のいずれかに対して施術するものであるところ、正面側に対する施術時には、本発明の衣類の前面部を開き、背面側に対する施術時には、本発明の衣類の背面部を開放することにより、当該衣類を着た状態での施術が可能となる。このとき、背面部の開放は、サービス提供を受ける者がスライダ等を操作するものではなく、エステシャンなどのサービス提供側が必要に応じて適宜操作することができることから、サービス提供を受ける者（顧客）の協力を必要とすることなく、所望の範囲を開放することが可能となるのである。
【発明を実施するための最良の形態】
【００２１】
以下、本発明の実施の形態を図面に基づいて説明する。本発明の第一の実施形態は、図１に示すように、概ね本体部１と肩ひも部２，３とで構成されており、本体部１は、背面部１１と前面部１２が連続して筒状に形成され、全体としてワンピースに似た状態の衣類Ａが構成されている。そして、本体部１の背面部１１は、その中央において切断されたうえで、スライドファスナ４によって連続するように構成されている。また、前面部１２には、着用時または脱衣時に使用するスライダファスナ５が設けられている。なお、図１は、第一の実施形態を背面部１１から斜視する状態を示す図である。
【００２２】
背面部１１の構成について詳述する。図２に示すように、背面部１１は、上下方向に切断されるとともに、その切断された端縁４１，４２には、ファスナストリンガ４３，４４が縫着され、その端縁に噛合エレメント４５，４６が設けられている。この種の噛合エレメント４５，４６は特別なものではなく、一般的にスライドファスナとして使用されるものである。この噛合エレメント４５，４６を噛合しまたは噛合の解除をするためには、スライダを設ける必要があるところ、本実施形態では二個のスライダ４７，４８が設けられている。
【００２３】
ここで、スライダ４７，４８の構造は、図３に示すように、表面本体４７ａと裏面本体４７ｂとが噛合案内柱４０によって一体的に構成されており、この噛合案内柱は、スライダ４７のスライド方向Ｘの片方端部付近にのみ設けられ、この噛合案内柱４０の側を先頭にスライド（Ｙ方向にスライド）させるときには、噛合エレメントを引き寄せることによって両者を噛合させることができ、逆に、噛合案内柱４０を後尾としてスライド（Ｚ方向にスライド）させるときには、噛合される噛合エレメントを左右に分離させることができるものである。
【００２４】
従って、図２において図示したように、スライドファスナ４に二個のスライダ４７，４８を設けるとともに、このスライダ４７，４８は、それぞれの噛合案内柱４０を両端側に向けて装着するのである。すなわち、図示のごとく、上位のスライダ４７は、上端１３に向けて移動させることによって噛合エレメント４５，４６を噛合させ、下端１４に向けて移動させることによって噛合エレメント４５の噛合を解除することができるのである。これに対し、下位のスライダ４８は、上記スライダ４７とは反対に作用し、下端１４に向けて移動するときに噛合エレメント４５，４６を噛合し、上端１３に向けて移動するときに噛合を解除することができるのである。
【００２５】
上記のような構成とすることにより、上位のスライダ４７を上端１３まで移動させ、下位のスライダ４８を下端１４まで移動させることによって、噛合エレメント４５，４６の全域が噛合されることとなり、この噛合により、本体部１の背面部１１を全体的に連続させることができるのである。そして、肩胛骨付近または背中の中央付近に対して施術する場合には、上位のスライダ４７のみを下向きに移動させることにより、噛合が解除される範囲において背中を開放させることができるのである。同様に、腰部または臀部付近に対して施術する場合には、下位のスライダ４８のみを上向きに移動させることにより、下端付近のみを開放することが可能となり、臀部または腰部に対する施術を実施し得ることとなるのである。
【００２６】
このような構成の衣類であれば、当該衣類を着た状態のまま施術用ベッドに伏せることによって、必要な部分の施術を受けることができるため、羞恥心を感じることなく快適なエステティックサービスの提供を受けることができる。
【００２７】
次に、第二の実施形態について説明する。本実施形態は、図４に示すように、背面部１１に二種類の切り込み１０６，２０６が設けられ、それぞれにスライドファスナ１０４，２０４が設けられている。上記二種類の切り込み１０６，２０６は、その一方（第一の切り込み１０６）が背面部１１の上端１３から後端１４の近傍に至る範囲に設けられ、他方（第二の切り込み２０６）が背面部１１の下端１４から上端１３の近傍に至る範囲に設けられている。これらの両切り込み１０６，２０６の端縁には噛合エレメント１４５，１４６，２４５，２４６が設けられ、スライダ１４７，２４８によって噛合およびその解除が可能となっている。この第一の切り込み１０６に設けられた噛合エレメント１４５，１４６を噛合およびその解除を可能にするスライダ（第一のスライダ）１４７は、その噛合案内柱を有する側が背面部１１の上端１３に向けて設置されており、この第一のスライダ１４７を上方向に移動するとき、噛合エレメント１４５，１４６を噛合することができ、逆に下方向に移動するとき、噛合エレメント１４５，１４６の噛合を解除できるものである。他方、第二の切り込み２０６に設けられた噛合エレメント２４５，２４６を噛合およびその解除を可能にするスライダ（第二のスライダ）２４８は、その噛合案内柱を有する側が背面部１１の下端１４に向けて設置されている。その結果、上記第一のスライダ１４７とは反対に、第二のスライダ２４８を下方向に移動するとき、噛合エレメント２４５，２４６を噛合することができ、上方向に移動するとき、噛合エレメント２４５，２４６の噛合を解除できることとなる。
【００２８】
従って、第一のスライダ１４７または第二のスライダ２４８のいずれか一方を操作することにより、背面部１１の上端１３または下端１４のいずれかを大きく開くことが可能となるのである。そして、肩胛骨付近から背中の中央に至る範囲に対してボディトリートメントを施術する場合には、第一のスライダ１４７を使用して、これを下方向に移動させることによって、肩胛骨付近から背中の中央付近の範囲を露出させることができる。このとき、第二のスライダ２４８は下端１４の位置から移動させず、第二の切り込み２０６は閉塞された状態に維持されている。他方、臀部から腰部に至る範囲に対してボディトリートメントを施術する場合には、第二のスライダ２４８を使用し、これを上方向に移動させて臀部から腰部に至る範囲を露出させるのである。このときも、第一のスライダ１４７は上端１３から移動させないことにより、第一の切り込み１０６は閉塞される状態を維持するのである。
【００２９】
上記のように、第一のスライダ１４７または第二スライダ２４８のいずれか一方を使用することにより、第一の実施形態と同様の効果を得ることができるのである。そして、このように、背中部分に対するボディトリートメントのみの施術を受ける場合であっても、衣服を脱ぐ必要がないこととなり、サービス提供を受ける者に羞恥心を感じさせないことができるのである。
【００３０】
次に、第三の実施形態について説明する。本実施形態は、図５に示すように、肩ひも部２，３が、二本の肩ひも構成部２１，２２，３１，３２によって構成されるものである。この肩ひも構成部２１，２２，３１，３２の先端には、面ファスナ２３，２４が設けられており、この面ファスナ２３，２４を使用して連結することによって、それぞれが連続した二本の肩ひも部２，３を構成することができるのである。ここで、肩ひも構成部２１，２２，３１，３２は、「ひも」という名称を使用しているが、所定の幅寸法で構成されており、両者２１，２２の表面および裏面には面ファスナ２３，２４を設けるに十分な面積を有している。そして、一方の肩ひも構成部２１，３１の先端付近には、その裏面側に面ファスナ２３が縫着されており、他方の肩ひも構成部２２，３２の先端付近には、その表面側に面ファスナ２４が縫着されている。
【００３１】
さらに、本実施形態は、図示のとおり、本体部１の構成として第一の実施形態と同様に、スライドファスナ４７，４８を設けており、このスライドファスナ４７，４８を下方向に移動することによって、肩胛骨付近から背中の中央付近までを露出させることが可能となっている。そこで、上記のような構成の実施形態によれば、肩ひも部２の面ファスナ２３，２４の装着を解除し、当該肩ひも構成部２１，２２，３１，３２を独立のものに分離することにより、肩周辺をも含めた背中の上部を広く露出させることができることとなる。
【００３２】
すなわち、ボディトリートメントは、部分的に（例えば、肩周辺や腰部周辺のみに）個別に施術するものではなく、背中から肩に至る範囲や、腰部から足先までの範囲など、広い面積を同時に施術することが一般的であり、そのような場合、肩ひも部２，３を取り外すことができれば、背中の広い部分を露出させることが可能となるのである。
【００３３】
なお、肩ひも部２，３は、面ファスナ２３，２４を着脱することにより、連続および切断することが自在となり、肩ひも部２，３の長さを容易に調整することができる。従って、施術されるまでの待ち時間には、本実施形態の衣類を身につけた状態となるが、このとき、着用する人の身長などによって本体部１の位置を調整する必要があるため、肩ひも部２，３の長さを調整することにより、本体部１の位置を調整することができることとなる。
【００３４】
本発明の実施形態は、上記のとおりであるが、本発明の趣旨を逸脱しない範囲において種々の態様をとることができる。例えば、上記に示した実施形態は、背面部１１をスライドファスナ４，１０４，２０４によって開閉する構成としているが、これに代えて面ファスナを使用することができる。この場合、図６に示すように、背面部１１を切断したうえで、その両端縁付近に一対の面ファスナ３０４，４０４を縫着することができる。この態様においては、端縁全体に面ファスナ３０４，４０４を設ける構成であることから、上端１３または下端１４における一部の面ファスナ３０４，４０４が装着状態で維持されることにより、第一の実施形態におけるスライダ４７，４８を上端または下端に移動したときと同様に、背中の上部または下部（臀部から腰部）を開放することが可能となる。
【００３５】
さらに、第二の実施形態と同様に第一の切り込み１０６および第二の切り込み２０６を設け、その両端縁付近にも同種の面ファスナを設けることにより、当該いずれかの切り込みを開放することにより、第二の実施形態におけると同様の開放状態を実現することが可能となる。
【００３６】
また、肩ひも部２，３の着脱を可能にする第三の実施形態は、肩ひも構成部２１，２２に面ファスナ２３，２４を設けたもののみを示しているが、この面ファスナ２３，２４に代えてボタン２３，３３およびボタンホール２４，３４によって着脱可能に設けることも可能である。この場合、肩ひも部２，３の片方に複数のボタンホール２４，３４を設けることによって、前面部１１と背面部１２との間に懸架される肩ひも部２，３の長さを調整する構成とすることもできる。
【００３７】
なお、上記各実施形態においては、本体部１の前面部１２の構成については特に記載していない。しかしながら、上記各実施形態における衣類の着脱を容易にするためには、前面部１２を上下方向に切断し、この切断部端縁付近にスライドファスナ、面ファスナまたはボタンを設けることにより、前開き服と同様に着用することが可能となる。そして、このような構成とすることにより、胸部、腹部または大腿部前面に対するボディトリートメントの施術を受ける際、本体部１のファスナ等を離脱させることにより、必要な部分を露出させることが可能となる。
【図面の簡単な説明】
【００３８】
【図１】本発明の第一の実施形態を示す説明図である。
【図２】スライダの詳細を示す斜視図である。
【図３】背面部の噛合エレメントとスライダとの関係を示す説明図である。
【図４】本発明の第二の実施形態を示す説明図である。
【図５】本発明の第三の実施形態を示す説明図である。
【図６】他の実施形態を示す説明図である。
【図７】他の実施形態を示す説明図である。
【符号の説明】
【００３９】
１  本体部
２，３  肩ひも部
４  スライドファスナ
１１  背面部
１２  前面部
１３  上端
１４  下端
２１，２２，３１，３２  肩ひも構成部
２３，２４  面ファスナ（ボタンおよびボタンホール）
３３  ボタン
３４  ボタンホール
４０  噛合案内柱
４１，４２  切断部端縁
４３，４４  ファスナストリング
４５，４６，１４５，１４６，２４５，２４６  噛合エレメント
４７，４８，１４７，２４８  スライダ
１０６，２０６  切り込み
３０４，４０４  面ファスナ
【図１】
2007162191.tif 000003
【図２】
2007162191.tif 000004
【図３】
2007162191.tif 000005
【図４】
2007162191.tif 000006
【図５】
2007162191.tif 000007
【図６】
2007162191.tif 000008
【図７】
2007162191.tif 000009